(57)【要約】      （修正有）【課題】既設の枠体内に新設の枠体を設置して構成された新設の乗客コンベアにおいて、新設枠体の既設枠体への収納に障害がなく、かつ騒音が枠体の下方部外に伝わるのを低減し得る乗客コンベアを提供する。【解決手段】既設の枠体４内に新設の枠体５を収納して設置した乗客コンベアにおいて、駆動装置１１が設置される新設の枠体５に取付けられた構成部材（１４）と既設の枠体５の底部外に取付けられた構成部材（１５）とで空気層１６を形成した。このように、空気層１６を形成することで、駆動装置１１からの騒音は空気層１６によって減衰されるので、枠体（４，５）の下方部外に伝わる騒音を低減することができ、しかも、既設の枠体４内に新設の枠体５の収納に障害となる構成部材がなくなる。【選択図】図１
2006206284.tif 000002
【特許請求の範囲】
【請求項１】
既設の枠体内に新設の枠体を収納して設置した乗客コンベアにおいて、駆動装置が設置される新設の枠体に取付けられる構成部材と既設の枠体外に取付けられる構成部材とで空気層を形成したことを特徴とする乗客コンベア。
【請求項２】
既設の枠体内に新設の枠体を収納して設置した乗客コンベアにおいて、前記新設の枠体の底部全長に亘って取付けたオイルパンと前記既設の枠体外の底部全長に亘って取付けた化粧板とによって空気層を形成したことを特徴とする乗客コンベア。
【請求項３】
前記空気層の厚さは、前記新設の枠体に設置した駆動装置の近傍の厚さが、他の部位の空気層よりも厚く形成されていることを特徴とする請求項２記載の乗客コンベア。
【請求項４】
既設の枠体内に新設の枠体を収納して設置した乗客コンベアにおいて、前記新設の枠体は、駆動装置が設置される近傍の底部が、他の部位の底部よりも上方に変位して形成されており、この変位した新設の枠体の底部に取付けた構成部材と前記既設の枠体の底部外に取付けた構成部材との間に空気層を形成したことを特徴とする乗客コンベア。
【請求項５】
既設の枠体内に新設の枠体を収納して設置した乗客コンベアにおいて、前記新設の枠体の底部全長に亘ってオイルパンを取付けると共に、前記既設の枠体外の底部全長に亘って化粧板を取付け、かつ、前記新設の枠体に設置した駆動装置の近傍のオイルパンを他の部位のオイルパンよりも上方に変位させ、この変位させたオイルパンと前記化粧板とによって前記駆動装置の下方部に空気層を形成したことを特徴とする乗客コンベア。
【発明の詳細な説明】
【技術分野】
【０００１】
本発明はエスカレーターや電動道路等の乗客コンベアに係り、特に、既設の乗客コンベアの枠体を利用して新設の乗客コンベアを収納する乗客コンベアに関する。
【背景技術】
【０００２】
従来において、既設の乗客コンベアの枠体を利用して新設の乗客コンベアを収納する乗客コンベアは、例えば特許文献１に示すように、既に周知である。
【０００３】
このような、既設の枠体内に新設の枠体を設置して構成された新設の乗客コンベアにおいても、騒音対策がますます厳しくなってきており、特に、駆動装置からの騒音が枠体下方部外に伝わるのを極力低減することが要求されている。
【０００４】
上記特許文献１に記載の乗客コンベアは、既設の枠体の内側底部全長に亘って取付けられたオイルパンを含め既設の枠体を覆う化粧板が既設の枠体の底部に取付けられる構成をしている。そのために、オイルパンと化粧板との間に空気層が形成され、この空気層によって新設枠内に発生する騒音を減衰させ、枠体下方部外に伝わる騒音をある程度低減することができる。
【０００５】
【特許文献１】実開昭５８−１９１１７４号公報
【発明の開示】
【発明が解決しようとする課題】
【０００６】
しかしながら、特許文献１に記載の乗客コンベアは、オイルパンを既設の枠体の底部内側に取付けているので、このオイルパンが新設の枠体の収納時に障害となる問題がある。即ち、乗客コンベアの枠体は、乗客コンベアは移動する踏板やそれを案内する手段、更には踏板を駆動する駆動装置を収納支持するために、必要最小限の高さ寸法が確保されている。しかし、既設の枠体内に構成部材が存在すると、この構成部材によって新設の枠体の必要最小限の高さ寸法が確保できなくなり、新設の乗客コンベアの機種によっては既設の枠体内に新設の枠体を収納しきれなくなる問題が発生する。
【０００７】
本発明の目的は、既設の枠体内に新設の枠体を設置して構成された新設の乗客コンベアにおいて、新設枠体の既設枠体への収納に障害がなく、かつ騒音が枠体の下方部外に伝わるのを低減し得る乗客コンベアを提供することにある。
【課題を解決するための手段】
【０００８】
本発明は上記目的を達成するために、新設の枠体に取付けられる構成部材と既設の枠体に取付けられる構成部材とで空気層を形成したのである。
【０００９】
このような空気層を形成することで、騒音は空気層によって減衰されて枠体の下方部外への伝播を低減することができ、また、既設枠体内には新設枠体の収納に障害となる構成部材がないので、新設枠体の既設枠体への収納が制約を受けることなく行うことができるのである。
【発明の効果】
【００１０】
以上説明したように本発明によれば、既設の枠体内に新設の枠体を収納して構成された新設の乗客コンベアにおいて、駆動装置からの騒音が枠体の下方部外に伝わるのを低減することができると共に、新設枠体を既設枠体へ制約を受けずに収納することができる乗客コンベアを得ることができる。
【発明を実施するための最良の形態】
【００１１】
以下本発明による乗客コンベアの実施の形態を図１〜図３に示すエスカレーターに基づいて説明する。
【００１２】
エスカレーター１は、上階床２と下階床３に跨って設置された既設の枠体４と、この既設の枠体４内に収納され、前記上階床２と下階床３に跨って設置された新設の枠体５と、無端状の踏段チェーン（図示せず）に連結されて新設の枠体５内を循環移動する水平な踏板を有する複数の踏段６と、これら踏段６の移動方向両側において前記新設の枠体５に立設された欄干部材７と、この欄干部材７の周縁に案内されて移動する移動手摺８とを備えている。
【００１３】
前記新設の枠体５は、上部水平枠５Ａと、この上部水平枠５Ａから下階床３に向かって傾斜する傾斜枠体５Ｂと、この傾斜枠体５Ｂから下階床３に向かって水平に延在する下部水平枠５Ｃとで構成されている。そして枠体５の上部水平枠５Ａと下部水平枠５Ｃとには、駆動スプロケット９と従動スプロケット１０とが軸支されて前記踏段６を無端状に連結した踏段チェーンが巻掛けられている。さらに、上部水平枠５Ａ内には、前記駆動スプロケット９を駆動する駆動装置１１がマシンベース１２を介して設置されていると共に、エスカレーター１の運転を制御する制御装置１３が設置されている。
【００１４】
さらに、新設の枠体５の上部水平枠５Ａの駆動装置１１が設置される部分の下部が、通常の高さ寸法Ｈ１に対して上方に変位して形成されており、その部分の高さ寸法Ｈ２は、通常の高さ寸法Ｈ１に対して短くなっている。
【００１５】
このように形成された新設の枠体５の底部内側には、全長に亘って構造部材であるオイルパン１４が取付けられ、踏段チェーン等の可動部に供給された潤滑油や侵入した土砂等の塵埃が新設の枠体５外に落下しないようにしている。このオイルパン１４は、上部水平部１４Ａと傾斜部１４Ｂと下部水平部１４Ｃで形成され、これらは新設の枠体５の上部水平枠５Ａ−傾斜枠体５Ｂ−下部水平枠５Ｃに沿ってほぼ平行に取付けられるので、駆動装置１１が設置されている新設の枠体５の上部水平枠５Ａに対しては段差を有するように取付けられている。
【００１６】
一方、前記既設の枠体４の底部の外側には、構造部材である化粧板１５が全長に亘って取付けられ、下方から既設の枠体４の内部が見えないようにしている。
【００１７】
上記構成とすることで、新設の枠体５の下方内側に全長に亘って取付けられたオイルパン１４と既設の枠体４の低部外側に取付けられた化粧板１５とによって囲まれた空気層１６が形成される。この空気層１６は、オイルパン１４の上部水平部１４Ａの一部及び傾斜部１４Ｂと下部水平部１４Ｃに対応する部分は、比較的薄い寸法ｈ１を有し、上部水平部１４Ａの前記駆動装置１１に対応する部分は、前記寸法ｈ１よりも厚い寸法ｈ２を有することになる。
【００１８】
以上説明したように、オイルパン１４と化粧板１５とで、新設の枠体５の下部にほぼ全長に亘って寸法ｈ１の空気層１６を形成したので、新設のエスカレーター１の可動部から発生する騒音は、この空気層１６によって減衰され、化粧板１５を通過して下方で洩れる騒音を低減することができる。さらに、駆動装置１１の下方部には厚い寸法ｈ２の空気層１６Ｂが存在するので、オイルパン１４の上部水平部１４Ａを通過した騒音は十分に減衰され、遮音効果を向上することができる。したがって、上記空気層１６はエスカレーター１の可動部から発生する騒音を遮断する遮音層となる。尚、より遮音効果を向上させたい場合には、化粧板１５のオイルパン１４側に周知の遮音材や吸音材を設置することで、低騒音のエスカレーターを得ることができる。
【００１９】
さらに、構成部材である化粧板１５を既設の枠体４の底部外に取付けることで、既設の枠体４内には、新設の枠体５を収納するために障害と構成部材は存在しなくなり、その結果、新設の枠体５の必要最小限の高さ寸法に制限を与えることなく、新設の枠体５を既設の枠体４内へ収納することができる。
【００２０】
上記実施の形態は、乗客コンベアとしてエスカレーターを一例に説明したが、エスカレーターに特定されるものではなく、本発明が隣接踏板間に段差の生じない電動道路にも適用できるのは勿論である。
【図面の簡単な説明】
【００２１】
【図１】本発明による乗客コンベアの実施の形態を示すエスカレーターの概略縦断側面図。
【図２】図１のＡ−Ａ線に沿う断面図。
【図３】図１のＢ−Ｂ線に沿う断面図。
【符号の説明】
【００２２】
１…エスカレーター、４…既設の枠体、５…新設の枠体、５Ａ…上部水平枠、５Ｂ…傾斜枠、５Ｃ…下部水平枠、６…踏段、１１…駆動装置、１４…オイルパン、１４Ａ…上部水平部、１４Ｂ…傾斜部、１４Ｃ…下部水平部、１５…化粧板、１６（１６Ａ，１６Ｂ）…空気層。
【図１】
2006206284.tif 000003
【図２】
2006206284.tif 000004
【図３】
2006206284.tif 000005